(57)【要約】【課題】通常、人間が急な体調不良等が原因で病院等に搬送されて応急措置を受ける場合、これを処置する医師は、処置を行うために必要な情報が不足した状態で処置を行うケースが多い。このような場合、一時的に応急処置を行った後、改めて情報を問い合わせて収集し適切な処置を行うことが考えられる。しかしながら、緊急に処置が必要な場合も多く、外部から情報を問い合わせて収集する時間もない場合が多い。これにより、搬送先で妊婦や患者の経過状況等の必要な情報を把握できないため、処置の遅れや対応ミスが発生するリスクがあるという課題がある。【解決手段】そこで、本発明は診察情報や経過情報などの医療情報を記憶し再生するための携帯用医療情報記憶装置を提供する。具体的には、以下のような携帯用医療情報記憶装置である。【選択図】図１
2011028618.tif 000002
【特許請求の範囲】
【請求項１】
診察情報、経過情報等の医療情報を記憶し再生するための携帯用医療情報記憶装置であって
医療情報を記憶するための情報記憶部と、
任意の端末装置に接続することをトリガーとして、前記情報記憶部に記憶された医療情報を端末装置が再生されるように構成した自動再生部と、を備える携帯用医療情報記憶装置。
【請求項２】
情報記憶部は、
医療情報として、母子手帳などに含まれる成長記録情報及びエコー画像など医師が緊急処置時に必要とする情報を保持する緊急情報保持手段を有する請求項１に記載の携帯用医療情報記憶装置。
【請求項３】
自動再生部は、
情報記憶部に記憶されている医療情報を選択して再生可能な選択再生手段を
さらに有する請求項１から２のいずれか一に記載の携帯用医療情報記憶装置。
【請求項４】
情報記憶部は、
緊急連絡先を記憶する連絡先記憶手段をさらに備え、
自動再生部は、
その端末装置にスカイプなどの通信機能が備えられている場合には、任意の端末装置に接続されたことをトリガーとして、前記連絡先記憶手段が記憶する連絡先に連絡・通知を行うように通信機能を起動するための起動手段をさらに備える請求項１から３のいずれか一に記載の携帯用医療情報記憶装置。
【請求項５】
携帯用医療情報記憶装置は、
その筐体に、所有者や緊急連絡先等が記載された物理的な識別タグを収納するタグ収納部をさらに備える請求項１から４のいずれか一に記載の携帯用医療情報記憶装置。
【請求項６】
携帯用医療情報記憶装置は、
その筐体に、錠剤を収納する錠剤収納部をさらに備える請求項１から５のいずれか一に記載の携帯用医療情報記憶装置。
【発明の詳細な説明】
【技術分野】
【０００１】
本発明は、医療情報を携帯用記憶装置に記憶させる技術に関する。
【背景技術】
【０００２】
通常、人間が急な体調不良等が原因で病院等に搬送されて応急措置を受ける場合、これを処置する医師は、処置を行うために必要な情報が不足した状態で処置を行うケースが多い。
【０００３】
このような場合、一時的に応急処置を行った後、改めて情報を問い合わせて収集し適切な処置を行うことが考えられる。しかしながら、例えば妊娠後期から出産直前の妊婦の妊娠トラブルは、本人だけでなく、胎児への影響が考えられ、また命の危険をさらす可能性があるため一刻も早い処置が必要となる。したがって、いちいち外部から情報を問い合わせて収集する時間もない場合が多い。
【０００４】
これにより、搬送先で妊婦や患者の経過状況等の必要な情報を把握できないため、処置の遅れや対応ミスが発生するリスクがあるという課題がある。
【先行技術文献】
【特許文献】
【０００５】
【特許文献１】特開２００８−０１５８２０号
【発明の概要】
【発明が解決しようとする課題】
【０００６】
そこで、特許文献に記載のような発明が提供されている。具体的には、病院等の医療機関内に備えられたサーバ装置にカルテなどの医療情報を蓄積し、ユーザが所有する携帯電話等の携帯端末から接続し、医療情報をダウンロードしたうえで閲覧するシステムである。
【０００７】
しかしながら、特許文献１に記載の発明は、必要な情報を毎回携帯端末へダウンロードする必要があり、また携帯端末の使用状況によっては携帯端末の記憶容量が不足する場合がある。さらには、現在の携帯電話回線では、データのダウンロードに時間がかかる場合もあるという課題がある。
【課題を解決するための手段】
【０００８】
そこで、本発明は診察情報や経過情報などの医療情報を記憶し再生するための携帯用医療情報記憶装置を提供する。具体的には、以下のような携帯用医療情報記憶装置である。
【０００９】
第１発明では、診察情報、経過情報等の医療情報を記憶し再生するための携帯用医療情報記憶装置であって医療情報を記憶するための情報記憶部と、任意の端末装置に接続することをトリガーとして、前記情報記憶部に記憶された医療情報を端末装置が再生されるように構成した自動再生部と、を備える携帯用医療情報記憶装置を提供する。
【００１０】
第２発明では、第１発明を基本として情報記憶部は、医療情報として、母子手帳などに含まれる成長記録情報及びエコー画像など医師が緊急処置時に必要とする情報を保持する緊急情報保持手段を有する携帯用医療情報記憶装置を提供する。
【００１１】
第３発明では、第１、２発明のいずれか一を基本として、自動再生部は、情報記憶部に記憶されている医療情報を選択して再生可能な選択再生手段をさらに有する携帯用医療情報記憶装置を提供する。
【００１２】
第４発明では、第１発明から第３発明のいずれか一を基本として情報記憶部は、緊急連絡先を記憶する連絡先記憶手段をさらに備え、自動再生部は、その端末装置にスカイプなどの通信機能が備えられている場合には、任意の端末装置に接続されたことをトリガーとして、前記連絡先記憶手段が記憶する連絡先に連絡・通知を行うように通信機能を起動するための起動手段をさらに備える携帯用医療情報記憶装置を提供する。
【００１３】
第５発明は、第１発明から第４発明のいずれか一を基本として、携帯用医療情報記憶装置は、その筐体に、所有者や緊急連絡先等が記載された物理的な識別タグを収納するタグ収納部をさらに備える携帯用医療情報記憶装置を提供する。
【００１４】
第６発明は、第１発明から第５発明のいずれか一を基本として、携帯用医療情報記憶装置は、その筐体に、錠剤を収納する錠剤収納部をさらに備える携帯用医療情報記憶装置を提供する。
【発明の効果】
【００１５】
本実施例の携帯用医療情報記憶装置によって、これを所持する患者の緊急時に身体情報を速やかに把握することができると共に、かかりつけ病院や患者の親類などに速やかに連絡することが可能となる。
【図面の簡単な説明】
【００１６】
【図１】実施例１の携帯用医療情報記憶装置における概略図を示す図
【図２】実施例１の携帯用医療情報記憶装置における機能的構成の一例を示す図
【図３】実施例１の携帯用医療情報記憶装置が記憶する医療情報の内容の一例を示す図
【図４】実施例１の携帯用医療情報記憶装置が任意の端末に接続した際に再生される医療情報の一例を示す図
【図５】実施例１の携帯用医療情報記憶装置における情報記憶部が記憶する情報として医師が緊急処置時に必要となる情報を保持する機能を有する場合における機能的構成の一例を示す図
【図６】実施例１の携帯用医療情報記憶装置における自動再生部が情報記憶部に記憶され散る医療情報を選択して再生可能な機能を有する構成を有する場合における機能的構成の一例を示す図
【図７】実施例１の携帯用医療情報記憶装置における選択再生手段の一例を示す図
【図８】実施例１の携帯用医療情報記憶装置が端末に接続することによって、あらかじめ記憶されている連絡先に連絡・通知を行うために通信機能を起動する機能を有する場合における機能的構成の一例を示す図
【図９】実施例１の携帯用医療情報記憶装置におけるハードウェア構成の一例を示す図
【図１０】実施例１の携帯用医療情報記憶装置が医療情報の選択再生機能を備えている構成である場合のハードウェア構成の一例を示す図
【図１１】実施例１の携帯用医療情報記憶装置が緊急連絡・通知機能を備えている場合のハードウェア構成の一例を示す図
【図１２】実施例１の携帯用医療情報記憶装置における携帯用医療情報記憶装置が任意の端末に接続されてから、医療情報・緊急情報を出力するまでの流れの一例を表すフローチャート
【図１３】実施例１の携帯用医療情報記憶装置における携帯用医療情報記憶装置が再生選択機能を有する場合の一連の流れの一例を表すフローチャート
【図１４】実施例１の携帯用医療情報記憶装置における携帯用医療情報記憶装置が、緊急連絡・通知機能を有する場合の一連の流れの一例を表すフローチャート
【図１５】実施例２の携帯用医療情報記憶装置における機能的構成の一例を示す図
【発明を実施するための形態】
【００１７】
以下に、図を用いて本発明の実施の形態を説明する。なお、本発明はこれらの実施の形態に何ら限定されるものではなく、その要旨を逸脱しない範囲において、種々なる態様で実施しうる。
【００１８】
なお、実施例１は主に請求項１、２、３、４について説明する。実施例２は主に請求項５、６について説明する。
【００１９】
≪実施例１≫
【００２０】
<概要>
【００２１】
本実施例の携帯用医療情報記憶装置は、診察情報、経過情報等の医療情報を記憶し、任意の端末へ接続することで記憶されている医療情報を端末装置に再生させるように構成したことを特徴とする携帯用医療情報記憶装置である。
【００２２】
本実施例により図１に示すように、患者の緊急時に救急車のような緊急車両や診療所・病院に備えられた任意の端末に本実施例の携帯用医療情報記憶装置を接続することで、医療情報を端末装置に出力する。そして、医師はこれを確認することによって速やかに患者の身体情報を把握することが可能となる。
【００２３】
<機能的構成>
【００２４】
以下に記載する本実施例の機能ブロックは、ハードウェア、ソフトウェア、又はハードウェア及びソフトウェアの両方として実現され得る。具体的には、コンピュータを利用するものであれば、ＣＰＵや主メモリ、バスあるいは二次記憶装置（ハードディスクや不揮発性メモリ）、それらのハードウェアを制御するためのドライバプログラムやその他アプリケーションプログラムなどがあげられる。
【００２５】
またこれらのハードウェアやソフトウェアは、主メモリ上に展開したプログラムをＣＰＵで演算処理したり、メモリやハードディスク上に保持されているデータや、インターフェイスを介して入力されたデータなどを加工、蓄積、出力処理したり、あるいは各ハードウェア構成部の制御を行ったりするために利用される。また、この発明は装置として実現できるのみでなく、方法としても実現可能である。また、このような発明の一部をソフトウェアとして構成することができる。さらに、そのようなソフトウェアをコンピュータに実行させるために用いるソフトウェア製品、及び同製品を固定した記録媒体も、当然この発明の技術的な範囲に含まれる。（本明細書の全体を通じて同様である）
【００２６】
図２は、本実施例の携帯用医療情報記憶装置における機能的構成の一例を表す図である。本実施例の携帯用医療情報記憶装置は、「情報記憶部」（０２０２）と、「自動再生部」（０２０３）と、で構成されている。
【００２７】
「情報記憶部」（０２０２）は、医療情報を記憶する。具体的には、本実施例の携帯用医療情報記憶装置の所有者の病院等において医師にされた診察情報や、疾患・手術等の経過情報を記憶する。
【００２８】
図３は、実際に本実施例の携帯用医療情報記憶装置の情報記憶部に記憶される医療情報の内容の一例を示したものである。本例に示すデータは、ＸＭＬで記載されている。本例のデータ構造は、患者本人の情報や、現病歴、既往歴などで構成されている。例えば、本例では患者本人の基本情報として「名前」、「年齢」、「性別」、「住所」、「保険証番号」が関連付けられているという具合である。
【００２９】
ここで、本実施例の携帯用医療情報記憶装置に記憶される医療情報の一例として上記のように説明を行ったが実際にはその情報だけに限定されない。例えば、医師による診断によって処方される薬剤の処方箋が含まれる構成であってもよい。さらには、薬剤を処方した薬局や薬剤師の情報が含まれる構成であってもよい。また、通院中の病院の診察券の情報及び診察の予約情報が含まれる構成であってもよい。予約情報が含まれる構成である場合には、予約時間を通知する機能が含まれる構成であるのが好ましい。さらには、他の医師や病院への紹介状及びその場合に必要となる引き継ぎに必要な情報が含まれる構成であってもよい。
【００３０】
さらには、記憶させる情報はテキスト情報のみに限定されない。具体的には、レントゲン写真やＭＲＩ画像のような画像を含む構成であってもよいし、また、エコー映像のような映像を含む構成であってもよく記憶される情報の形態は限定されない。
【００３１】
「自動再生部」（０２０３）は、任意の端末装置に接続することをトリガーとして、情報記憶部に記憶された医療情報を端末装置が再生する機能を有する。具体的には、任意の端末装置に接続することにより、自動的に端末装置のディスプレイに対して医療情報の出力を行う。
【００３２】
図４は、実際に本実施例の携帯用医療情報記憶装置を任意の端末に接続した際に再生される医療情報の一例を示したものである。なお、本図は前記「情報記憶部」で説明したデータを再生した場合を想定している。本実施例の携帯用医療情報記憶装置を任意の端末に接続することで、本図に示すような情報を出力させるためのアプリケーションが起動し、本例の携帯用医療情報記憶装置に記憶された医療情報を読み出し、出力を行うという具合である。
【００３３】
ここで、本例では、情報記憶部に記憶されたテキストデータを出力させる構成としたが、実際にはそれに限定されない。具体的には、レントゲン写真のような画像を出力させる機能を備える構成を含んでいてもよいし、またエコーによる映像を出力させる機能を含む構成であってもよい。
【００３４】
さらには、自動再生部は記憶された医療情報を出力させる機能だけでなく、他の機能を含む構成であってもよい。例えば、病院到着時に受け付け端末に一度接続することで病院側に医療情報を送信する「医療情報転送手段」を含む構成が考えられる。これによって、初診であっても患者の医療情報を把握することが可能となり、再検査等をすることなく適切な処置をすることが可能となる。また、病院の診察予約情報を保持・管理する「予約情報保持管理手段」を含む構成が考えられる。これにより、患者が自宅の端末に携帯用医療情報記憶装置を接続することで、診察の予約情報を確認する若しくは告知することが可能となる。さらには、予約情報を保持させることで、病院到着時に受け付け端末に接続することで受け付け処理をさせる「受付処理部」を含む構成も考えられる。これによって、保持する予約情報を元に受け付けをスムーズに済ませることが可能となる。
【００３５】
≪付  加  機  能≫
【００３６】
（緊急情報の保持）
【００３７】
本実施例の、携帯用医療情報記憶装置の情報記憶部は記憶する情報として医師が緊急処置時に必要となる情報を保持する機能を有する構成であってもよい。この場合には、図５のように「情報記憶部」（０５０２）が「緊急情報保持手段」（０５０４）を備える構成が考えられる。以下にこの場合における新たに有することとなる構成について説明する。
【００３８】
「緊急情報保持手段」（０５０４）は、医療情報として、産婦人科医師が妊婦へ緊急処置の際に必要とする情報である母子手帳情報及びエコー画像などを保持する機能を有する。具体的には、少なくとも通院している施設の情報（施設名、住所、電話番号、ＦＡＸ番号、担当医師名など）と、患者の特記事項（疾患の有無など）、既往歴、正常時の検査値を含む情報である。これらの情報を含むことによって産婦人科医師が妊婦の身体状況を速やかに把握することが可能となり、これによって適切に処置を行うことが可能となる。
【００３９】
（医療情報の選択再生）
【００４０】
本実施例の、携帯用医療情報記憶装置の自動再生部は、情報記憶部に記憶され散る医療情報を選択して再生可能な機能を有する構成であってもよい。この場合には、図６のように「自動再生部」（０６０３）が「選択再生手段」（０６０５）を備える構成が考えられる。以下にこの場合における新たに有することとなる構成について説明する。
【００４１】
「選択再生手段」（０６０５）は、情報記憶部に記憶されている医療情報を選択して再生可能な機能を有する。具体的には、本実施例の携帯用医療情報記憶装置を任意の端末装置に接続した際に、出力させる医療情報を選択させる画面を出力し、これを選択することで選択された医療情報を出力させる。
【００４２】
図７は、実際に本実施例の携帯用医療情報記憶装置の選択再生手段の一例を示したものである。本実施例の携帯用医療情報記憶装置が任意の端末装置に接続されると、医療情報を出力させるアプリケーションが本図に示すようなメニュー画面を出力する。これにより、医師がメニュー画面のボタン（リンク）を選択することによって必要とする情報を速やかに検索し閲覧することが可能となる。
【００４３】
（緊急連絡・通知）
【００４４】
本実施例の携帯用医療情報記憶装置は、任意の端末がスカイプなどの通信機能が備えられている場合、端末に接続することによって、あらかじめ記憶されている連絡先に連絡・通知を行うために通信機能を起動する機能を有する構成であってもよい。この場合には、図８のように「情報記憶部」（０８０２）が「連絡先記憶手段」（０８０６）を備え、また、「自動再生部」（０８０３）が「起動手段」（０８０７）を備える構成が考えられる。以下にこの場合における新たに有することとなる構成について説明する。
【００４５】
「連絡先記憶手段」（０８０６）は、緊急連絡先を記憶する。具体的には、妊婦（患者）のかかりつけ病院や産婦人科医院への緊急連絡先を記憶する。具体的に緊急連絡先とは、接続先の電話番号や、ネットワークに接続するためのアカウント及びパスワードと接続先のアカウントなどである。これらの連絡先を元に、後に詳述する「起動手段」（０８０７）が端末装置に備えられている通信機能の起動し、通信の開始を行う。
【００４６】
「起動手段」（０８０７）は、接続されたその端末装置にスカイプなどの通信機能が備えられている場合には、任意の端末装置に接続されたことをトリガーとして、連絡先記憶手段が記憶する連絡先に連絡・通知を行うように通信機能を起動する機能を有する。具体的には、本実施例の携帯用医療情報記憶装置が任意の端末装置に接続されることで、その端末装置が備える通信機能を検索する。そして、検索された通信機能を用いて連絡先記憶手段が記憶している緊急連絡先に対して通信を開始する。
【００４７】
ここで、本実施例の「起動手段」（０８０７）は、任意の端末装置に接続されたことトリガーとして通信機能の起動させる構成としたが、実際にはそれにだけに限定されない。例えば、図７に示すように、必要に応じてボタン（リンク）を選択させる構成であってもよい。
【００４８】
また、緊急連絡先は必ずしも、妊婦（患者）のかかりつけ病院や、産婦人科医院だけに限定されない。具体的には、妊婦（患者）の親類・友人への連絡先であってもよい。また、連絡先は、単数に限らず複数であってもよい。具体的には、直交周波数分割多重方式（ＯＦＤＭ）を用いて複数の接続先へマルチアクセスを行いボイスチャットやビデオチャットを行うという具合である。
【００４９】
（マニュアル出力機能）
【００５０】
本実施例の携帯用医療情報記憶装置は、任意の端末に接続された場合に携帯用医療情報記憶装置に記憶されている医療情報を閲覧するためのアプリケーション（「自動再生部」）のマニュアル情報を出力する機能を備える構成であってもよい。
【００５１】
この場合には、例えば「情報記憶部」がマニュアル情報を記憶する「マニュアル情報保持手段」を備え、また「自動再生部」が、記憶されているマニュアル情報を出力するための「マニュアル出力手段」を備える構成が考えられる。これにより、任意の端末に接続された場合に、「マニュアル出力手段」が「マニュアル情報保持手段」よりマニュアル情報を取得し、取得したマニュアル情報を出力することが可能となる。
【００５２】
（履歴の記録）
【００５３】
本実施例の携帯用医療情報記憶装置は、自身が任意の端末装置に接続された場合にこれを接続履歴として履歴を記録する機能を備える構成であってもよい。
【００５４】
この場合には、例えば本実施例の携帯用医療情報記憶装置が履歴を記録するための「接続履歴記録部」を備え、また「情報記憶部」が履歴を保持するための「履歴情報保持手段」を備える構成が考えられる。これにより、任意の端末に接続された場合に、「接続履歴記録部」が「履歴情報保持手段」に接続履歴を記録することが可能となる。
【００５５】
（処置方法の検索）
【００５６】
本実施例の携帯用医療情報記憶装置は、「情報記憶部」に記憶されている医療情報を閲覧する際に、特殊な症例や病気が含まれる場合に、この症例や病気の概要や対処方法等をインターネット等の外部ネットワークや、診療所・病院が備えるデータベース等から検索する機能を備える構成であってもよい。
【００５７】
この場合には、例えば本実施例の携帯用医療情報記憶装置が特殊な症例を取得するための「特殊症例取得部」と、取得した症例をネットワークから検索する「ネットワーク検索部」を備える構成が考えられる。これにより、必要に応じて「特殊症例取得部」で取得した症例や病気に基づいて「ネットワーク検索部」によって、これの概要や対象方法を検索することが可能となる。
【００５８】
なお、本例で説明した「ネットワーク検索部」は、先に説明した「起動手段」において接続されている回線を代用する構成であってもかまわない。
【００５９】
（ナビゲーション接続機能）
【００６０】
本実施例の携帯用医療情報記憶装置は、接続された任意の端末装置がナビゲーション装置と直接的（接続さされた端末装置がナビゲーション装置としての機能を備える場合）・間接的（接続された端末装置が間接的に他のナビゲーション装置を操作可能な場合）に接続されている場合に、携帯用医療情報記憶装置が記憶する内容に応じて行き先を指定・検索する機能を備える構成であってもよい。これにより、緊急車両等が備えるナビゲーション装置を利用して適切な診療所・病院を検索することが可能となる。
【００６１】
この場合には、例えば本実施例の携帯用医療情報記憶装置がナビゲーションに接続し通信を行うための「ナビゲーション通信部」と、「情報記憶部」に記憶されている病院を取得するための「病院取得部」と、を備える構成が考えられる。これにより、「ナビゲーション通信部」がナビゲーションシステムと接続したうえで、「病院取得部」で取得した病院を「ナビゲーション通信部」がナビゲーションシステムに対して病院の検索処理を行うよう命令を送信することが可能となる。
【００６２】
ここで、取得される病院とは、医療情報に含まれているかかりつけ病院でであってもよいし、さらには医療情報に含まれる現病歴からこれを処置可能な病院を検索し取得された病院であってもよい。
【００６３】
（センサ連動機能）
【００６４】
本実施例の携帯用医療情報記憶装置は、センサの異常を検知して携帯用医療情報記憶装置が周囲へ異常を告知する機能を備える構成であってもよい。
【００６５】
この場合には、例えば本実施例の携帯用医療情報記憶装置は、センサの異常を検知し告知する「異常告知部」を備える構成が考えられる。これにより、例えば心拍計を備える時計と連動する場合において心拍に異常が発生した場合に「異常告知部」がこれを検知し告知することが可能となる。
【００６６】
（セキュリティ機能）
【００６７】
本実施例の携帯用医療情報記憶装置は、自身が記憶する情報を不必要に閲覧できないようにするための指紋認証のセキュリティ機能を備える構成であってもよい。
【００６８】
この場合には、例えば本実施例の携帯用医療情報記憶装置は、指紋を取得しこれを認証するための「指紋認証部」を備える構成が考えられる。これにより、記録されている医療情報を守ることが可能となる。
【００６９】
（電子マネー機能）
【００７０】
本実施例の携帯用医療情報記憶装置は、電子マネー機能を備える構成であってもよい。この電子マネーはデビットカード型である構成であってもよいし、ＲＦＩＤである構成であってもよい。
【００７１】
この場合には、例えば本実施例の携帯用医療情報記憶装置が「電子マネー部」を備える構成が考えられる。これにより、例えば診療所・病院での支払いや、薬局での薬代などを支払うことも可能となる。
【００７２】
なお、上記に付加機能として様々な機能を説明したが、これら付加機能は単体で付加される構成であってもよいし、複数の機能が付加される構成であってもよい。さらには、各種機能が連動する構成であってもかまわない。
【００７３】
<ハードウェア的構成>
【００７４】
図９は、本実施例の携帯用医療情報記憶装置におけるハードウェア構成の一例を表す概念図である。この図を利用して、本実施例の携帯用医療情報記憶装置におけるそれぞれのハードウェア構成部の働きについて説明する。
【００７５】
図９に示すように、本実施例の携帯用医療情報記憶装置は、医療情報・緊急情報や、再生アプリケーションを記憶する「記憶装置」（０９０１）や、任意の端末に接続するための「Ｉ／Ｏ」（０９０２）と、を備えている。
【００７６】
ここで、本実施例の携帯用医療情報記憶装置が、「Ｉ／Ｏ」（０９０２）を介して任意の端末装置に接続されたとする。任意の端末装置に接続されると、任意の端末装置によって携帯用医療情報記憶装置の「記憶装置」（０９０１）に記憶されている「再生アプリケーション」（０９０３）が読み出され、任意の端末装置の主メモリのワーク領域に展開される。「再生アプリケーション」（０９０３）は、主メモリのワーク領域に展開されると、「Ｉ／Ｏ」（０９０２）を介して本実施例の携帯用医療情報記憶装置の「記憶装置」（０９０１）から「医療情報」（０９０４）若しくは「緊急情報」（０９０５）の読み出しを行う。そして、任意の端末装置に「医療情報」（０９０４）若しくは「緊急情報」（０９０５）の出力を行う。
【００７７】
（医療情報の選択再生）
【００７８】
本実施例の携帯用医療情報記憶装置が医療情報の選択再生機能を備えている構成である場合には図１０に示すようなハードウェア構成となる。この場合には、以下のような動作となる。
【００７９】
ここで、本実施例の携帯用医療情報記憶装置が、「Ｉ／Ｏ」（１００２）を介して任意の端末装置に接続されたとする。任意の端末装置に接続されると、任意の端末装置によって携帯用医療情報記憶装置の「記憶装置」（１００１）に記憶されている「再生アプリケーション」（１００３）が読み出され、任意の端末装置の主メモリのワーク領域に展開される。「再生アプリケーション」（１００３）は、主メモリのワーク領域に展開されると、「再生アプリケーション」（１００３）のサブプログラムである「選択再生機能」（１００６）の呼び出しを行い、任意の端末装置にメニュー画面の出力を行う。そして、ユーザによってメニュー画面の選択が行われると、「Ｉ／Ｏ」（１００２）を介して選択された内容に応じた「医療情報」（１００４）若しくは「緊急情報」（１００５）の読み出しを行う。そして、任意の端末装置に選択された「医療情報」（１００４）若しくは「緊急情報」（１００５）の出力を行う。
【００８０】
（緊急連絡・通知）
【００８１】
本実施例の携帯用医療情報記憶装置が緊急連絡・通知機能を備えている場合には、図１１に示すようなハードウェア構成となる。この場合には、以下のような動作となる。
【００８２】
ここで、本実施例の携帯用医療情報記憶装置が、「Ｉ／Ｏ」（１１０２）を介して任意の端末装置に接続されたとする。任意の端末装置に接続されると、任意の携帯端末装置によって携帯用医療情報記憶装置の「記憶装置」（１１０１）に記憶されている「再生アプリケーション」（１１０３）が読み出され、任意の端末装置の主メモリのワーク領域に展開される。「再生アプリケーション」（１１０３）は、主メモリのワーク領域に展開されると、「再生アプリケーション」（１１０３）のサブプログラムである「通信機能起動機能」（１１０７）の呼び出しを行う。呼び出された「通信機能起動機能」（１１０７）は、端末装置が備える通信機能を検索するとともに、「Ｉ／Ｏ」（１１０２）を介して「記憶装置」（１１０１）に記憶されている「連絡先」（１１０８）の読み出しを行う。両方の処理が完了すると、「連絡先」（１１０８）を元に適切な通信機能を選択し、「連絡先」（１１０８）が示す内容に基づいて通信を開始する。
【００８３】
ここで、本例では通信機能起動機能は、携帯用医療情報記憶装置が任意の端末に接続されることで呼び出される構成としたが、実際にはそれに限定されない。具体的には、前記「選択再生機能」であるメニュー画面から選択によって機能を呼び出す構成であってもよい。
【００８４】
<処理の流れ>
【００８５】
図１２は、本実施例の携帯用医療情報記憶装置が任意の端末に接続されてから、医療情報・緊急情報を出力するまでの流れの一例を表すフローチャートである。また、図１３は、本実施例の携帯用医療情報記憶装置が再生選択機能を有する場合の一連の流れの一例を表すフローチャートである。さらに、図１４は、本実施例の携帯用医療情報記憶装置が、緊急連絡・通知機能を有する場合の一連の流れの一例を表すフローチャートである。なお、以下に示すステップは、媒体に記録され、計算機を制御するためのプログラムを構成する処理ステップであってもかまわない。
【００８６】
まず、図１２のフローチャートについて説明する。
【００８７】
ここで、本実施例の携帯用医療情報記憶装置が任意の端末装置に接続されたとする（Ｓ１２０１）。任意の端末装置に接続されると、自動再生部が端末装置によって読み出される（Ｓ１２０２）。読み出された自動再生部は、医療情報・緊急情報の読み出しを行う（Ｓ１２０３）。そして読みだした医療情報・緊急情報を出力する（Ｓ１２０４）。
【００８８】
次に、図１３フローチャートについて説明する。
【００８９】
ここで、本実施例の携帯用医療情報記憶装置が任意の端末装置に接続されたとする（Ｓ１３０１）。任意の端末装置に接続されると、自動再生部が端末装置によって読み出される（Ｓ１３０２）。読み出された自動再生部は、その一機能であるメニュー画面（選択再生手段）の展開を行う（Ｓ１３０３）。選択が行われる（Ｓ１３０４）と、選択された内容に基づいて、医療情報・緊急情報の読み出しを行う（Ｓ１３０５）。そして、読みだした医療情報・緊急情報を出力する（Ｓ１３０６）。
【００９０】
次に、図１４のフローチャートについて説明する。
【００９１】
ここで、本実施例の携帯用医療情報記憶装置が任意の端末装置に接続されたとする（Ｓ１４０１）。任意の端末装置に接続されると、自動再生部が端末装置によって読み出される（Ｓ１４０２）。読み出された自動再生部は、連絡先の取得を行う（Ｓ１４０３）。そして、取得された通信機能の起動し、連絡先に対して通信を開始する（Ｓ１４０４）。
【００９２】
<効果の簡単な説明>
【００９３】
本実施例の携帯用医療情報記憶装置によって、これを所持する患者の緊急時に身体情報を速やかに把握することができると共に、かかりつけ病院や患者の親類などに速やかに連絡することが可能となる。
【００９４】
≪実施例２≫
【００９５】
<概要>
【００９６】
本実施例の携帯用医療情報記憶装置は、図１５に示すようにその筐体（１５０１）に物理的な識別タグ（１５０７）若しくは錠剤（１５０８）を収納する収納部（１５０９）を備えることを特徴とする携帯用医療情報記憶装置である。
【００９７】
<実施例２：構成>
【００９８】
≪タグ収納部≫
【００９９】
「タグ収納部」（１５０９）は、所有者や緊急連絡先等が記載された物理的な識別タグを収納する機能を有する。具体的には、本実施形態の携帯用医療情報記憶装置に備えられた所有者の名前や住所などが記載された物理的な識別タグを収納するためのスペースである。
【０１００】
ここで、識別タグ（１５０７）とは本実施形態の携帯用医療情報記憶装置の所有者を識別するためのタグである。この識別タグには、所有者を識別するために、名前、住所、緊急連絡先等の所有者を識別することができる項目について記載されている。この識別タグによって、本実施形態の携帯用療情報記憶装置を紛失時に所有者を識別することができるだけでなく、緊急時には他人が識別タグを確認することで適切な緊急連絡先に速やかに連絡することが可能となる。
【０１０１】
≪錠剤収納部≫
【０１０２】
「錠剤収納部」（１５０９）は、錠剤を収納する。具体的には、本実施形態の携帯用医療情報記憶装置に備えられた錠剤を収納するためのスペースである。
【０１０３】
ここで錠剤（１５０８）とは、内服用錠剤、口腔用錠剤、カプレット剤など錠剤であれば種類に限定されない。さらには、錠剤だけでなくカプセル剤を収納することとしてもよい。さらには、収納スペースに収納可能な形体であれば、その形体に限定されない。
【０１０４】
なお、本実施形態における、「タグ収納部」と「錠剤収納部」は、同じスペースであってもよく、同じスペースにタグ若しくは錠剤のいずれかを必要に応じて収納することとしてもよいし、タグ及び錠剤を同時に収納することとしてもよい。
【０１０５】
（収納物の告知）
【０１０６】
本実施例の携帯用医療情報記憶装置は、自身が任意の端末装置に接続されることをトリガーとして、前記「タグ収納部」若しくは前記「錠剤収納部」に収納されている収納物があることを告知する機能を備える構成であってもよい。
【０１０７】
この場合には、本実施例の携帯用医療情報記憶装置が「収納物判定部」を備え、また「自動再生部」が「収納物告知手段」を備える構成が考えられる。これにより、本実施例の携帯用医療情報記憶装置が、任意の端末に接続された場合に、「収納物判定部」の判定結果に応じて「収納物告知手段」が結果に応じた告知を行うことが可能となる。
【０１０８】
<効果の簡単な説明>
【０１０９】
本実施例の携帯用医療情報記憶装置によって、携帯用医療情報記憶装置が備える収納部に薬剤や物理的タグなどを収納することが可能となる。
【符号の説明】
【０１１０】
０２０１  携帯用医療情報記憶装置
０２０２  情報記憶部
０２０３  自動再生部
０５０４  緊急情報保持手段
０６０５  選択再生部
０８０６  連絡先記憶手段
０８０７  起動手段
【図１】
2011028618.tif 000003
【図２】
2011028618.tif 000004
【図３】
2011028618.tif 000005
【図４】
2011028618.tif 000006
【図５】
2011028618.tif 000007
【図６】
2011028618.tif 000008
【図７】
2011028618.tif 000009
【図８】
2011028618.tif 000010
【図９】
2011028618.tif 000011
【図１０】
2011028618.tif 000012
【図１１】
2011028618.tif 000013
【図１２】
2011028618.tif 000014
【図１３】
2011028618.tif 000015
【図１４】
2011028618.tif 000016
【図１５】
2011028618.tif 000017